(57)【要約】   【課題】物干し具の干し物を押さえるためのピンチが物干し具枠体に絡まることもなく、また、接触しうる位置に配置された物干し具の干し物を押さえるためのピンチ同士も絡むことがないようにすることを可能にする 。  【解決手段】フック部を有する吊り下げ装置によって吊り下げられた物干し具枠体と、前記枠体に取り付けた接続部材に吊り下げ部材を吊し、ピンチの支点となる中心部分に円環状ピンチ回転部材を貫通させ、この円環状ピンチ回転部材を前記吊り下げ部材に吊り下げることによって構成される物干し具であって、円環状ピンチ回転部材はピンチ支点となる中心部分を貫通させる事により、ピンチを円環状ピンチ回転部材の円環内をくぐるように自由回転することで、物干し具枠体とピンチの絡まりを防止し、ピンチとピンチの絡まりも防止する。  【選択図】  図１
2008279187.tif 000002
【特許請求の範囲】
【請求項１】
フック部を有する吊り下げ装置によって吊り下げられた物干し具枠体と、前記枠体に取り付けた連結部材に吊り下げられた円環状や鎖状或いは紐状等の吊り下げ部材を介して吊り下げられた干し物を押さえるためのピンチを複数個有し構成された物干し具において、前記ピンチと係合する吊り下げ部材の形状は円環状であり、前記ピンチの支点となる中心部分を円環状ピンチ回転部材が貫通し、前記円環状ピンチ回転部材の内径を前記ピンチの支点となる中心部分から末端までの最大距離よりも大きくすることにより、前記円環状ピンチ回転部材の円環内をくぐるように前記ピンチが容易に自由回転出来ることを特徴とする物干し具。
【発明の詳細な説明】
【技術分野】
【０００１】
本発明は物干し具であり、物干し具枠体に吊り下げ部材を介して吊り下げられた干し物を押さえるためのピンチが前記物干し具枠体に絡まなくし、また、接触しうる位置に配置した干し物を押さえるためのピンチ同士も絡まないようにした物干し具に関する。
【背景技術】
【０００２】
図５および図６で示すように、従来の物干し具は物干し具枠体１に取り付けた接続部材２に吊り下げられた吊り下げ部材３を介して吊り下げられた干し物を押さえるためのピンチ５とに形成され、前記吊り下げ部材３に前記ピンチ５の片方の摘み部５１が係合されているものが知られている。
【特許文献１】特許第１０−３３６０９７
【発明の開示】
【発明が解決しようとする課題】
【０００３】
図５および図６で示すように、従来は物干し具の干し物を押さえるためのピンチ５の摘み部５１が前記物干し具枠体１に絡み易く、また、接触しうる位置に設置されたピンチ５の摘み部５１同士も絡み易かった。
【０００４】
従来はピンチ５を吊り下げるための吊り下げ部材３をピンチ５の片方の摘み部分５１に係合させるために、摘み部５１を摘む際に吊り下げ部材３を一緒に摘まなくてはならなく指などへの負担があった。
【０００５】
本発明は上記の問題点を解決し、特に干し物を押さえるためのピンチが物干し具枠体に絡むことなく、また接触しうる位置に設置されたピンチ同士も絡まることもない物干し具を提案することを課題とする。
【課題を解決するための手段】
【０００６】
フック部を有する吊り下げ装置によって吊り下げられた物干し具枠体と、前記枠体に取り付けた連結部材に吊り下げられた円環状や鎖状或いは紐状等の吊り下げ部材を介して吊り下げられた干し物を押さえるためのピンチを複数個有し構成された物干し具において、前記ピンチと係合する吊り下げ部材の形状は円環状であり、前記ピンチの支点となる中心部分を円環状ピンチ回転部材が貫通し、前記円環状ピンチ回転部材の内径を前記ピンチの支点となる中心部分から末端までの最大距離よりも大きくすることにより、前記円環状ピンチ回転部材の円環内をくぐるように前記ピンチが容易に自由回転出来ることを特徴とする。
【発明の効果】
【０００７】
ピンチの支点となる中心部分を円環状ピンチ回転部材が貫通し、且つ円環状ピンチ回転部材の円環内をくぐるように前記ピンチの摘み部および押さえ部が容易に自由回転することにより、前記ピンチの摘み部が物干し具枠体および接触しうる位置に配置したピンチの摘み部同士が絡みあってもピンチが円環状ピンチ回転部材の円環内を容易に回転する事により絡まりが解け問題が解消される。また、ピンチの摘み部に吊り下げ部材が係合していないので、摘み部を摘む際に吊り下げ部材を一緒に摘ままなくてすみ、指などへの負担を軽減する事が出来る。
【発明を実施するための最良の形態】
【０００８】
以下に本発明の実施例の一例を説明する
【実施例】
【０００９】
図１で示すように、吊り下げ装置６１と吊り下げ装置６２によって吊り下げられた物干し具枠体１と、前記枠体に接続部材２を取り付け、吊り下げ部材３を吊り下げる、ピンチ５の支点となる中心部分５２を円環状ピンチ回転部材４が貫通し、この円環状ピンチ回転部材４を前記吊り下げ部材３に吊り下げる構造である。
【００１０】
物干し具枠体１は金属製線材以外にも樹脂製やパイプ形状の金属部材でも構わない。接続部材２も同様に金属製線材以外の素材、例えば樹脂製などでも構わない。また吊り下げ部材３の形状もＶ字型に限る事無く円環状や菱形或いは特異な形状でも構わない。
【００１１】
吊り下げ部材３は１本の金属製線材を円環状の構造にし、接続部材２と円環状ピンチ回転部材４を繋ぐ事を目的とする。前記目的をはたす事が可能であれば、前記吊り下げ部材３は金属製線材に限ることなく樹脂製などでも構わなく、また形状も円環状に限ることなく、鎖状や特異な形状でも構わない。またピンチ一つに対して係合する吊り下げ部材３の取り付け数量を増加減する事によりピンチの取り付け位置の高低を可能なものとする。また吊り下げ部材３を取り付けず直接円環状ピンチ回転部材４を接続部材２と係合することも可能である。
【００１２】
ピンチ５は１本の金属製線材からなり、一対の摘み部５１と一対の挟み部５３を有し、前記ピンチの支点となる中心部分５２にはコイル状に巻き上げられたバネ構造を有する。
【００１３】
ピンチ５は金属製線材から構成される物に限らず、樹脂製或いは金属製板状材などを使用しても構わない。但し、ピンチの中心部分に円環状ピンチ回転部材４を容易に通す事が可能な径の穴構造を有さなくてはならない。
【００１４】
円環状ピンチ回転部材４は干し物の重量を考慮すると金属製線材を用いる事が望ましく特にステンレスなどの防錆性に富む素材が適当である。
【００１５】
円環状ピンチ回転部材４は円環状の形状であり直径はピンチ５がこの円環状ピンチ回転部材の円環内を容易にくぐるように自由回転する事を考慮した寸法を有する。ゆえにピンチ５の支点となる中心部分５２から摘み部５１およびピンチ５の支点となる中心部分５２から摘み部５３の寸法と吊り下げ部材３の素材の厚みを考慮した寸法となる。
【００１６】
また物干し具である性質上複数個のピンチ５が設けられる。その為、円環状ピンチ回転部材４の直径は全て同一とし、且つ真円状の形状とする事で隣同士或いは接触しうる円環状ピンチ回転部材４同士がくぐり抜けてしまう事による絡まりも無くなる。但し、円環状ピンチ回転部材４同士が接触しうる位置に配置しない場合においては、円環状ピンチ回転部材４の直径は不均等であっても、楕円形などの形状であっても構わない。
【００１７】
物干し具を設置、使用する時には、円環状ピンチ回転部材４に取り付けるピンチ５は天地方向で摘み部５１が上方向き、押さえ部５３が下方向きになる事が好ましく、ピンチ５の支点となる中心部分５２から摘み部５１とピンチ５の支点となる中心部分５２から押さえ部５３では押さえ部５３の方が重量で重く設計されている事が望ましい。
【００１８】
円環状ピンチ回転部材４はピンチ５がこの円環内を容易にくぐるように自由回転することを目的とするために線材の両端が重なるリング形状でも構わない。
【図面の簡単な説明】
【００１９】
【図１】本発明に係る物干し具の全体斜視図
【図２】前記物干し具の主要部斜視図
【図３】前記物干し具の主要部正面図
【図４】前記物干し具の主要部側面図
【図５】従来の物干し具の全体斜視図
【図６】従来の物干し具の主要部斜視図
【符号の説明】
【００２０】
１物干し具枠体
２連結部材
３吊り下げ部材
４円環状ピンチ回転部材
５ピンチ
６吊り下げ装置
【図１】
2008279187.tif 000003
【図２】
2008279187.tif 000004
【図３】
2008279187.tif 000005
【図４】
2008279187.tif 000006
【図５】
2008279187.tif 000007
【図６】
2008279187.tif 000008